【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
（ａ）溶剤、
（ｂ）前記溶剤に溶解した、ドーパントによりドープされたπ共役高分子、
（ｃ）リン酸基、ホスホン酸基、又はカルボキシ基である酸性基を１つ以上含む有機酸、並びに
（ｄ）フェノール性化合物
を含むπ共役高分子組成物であって、
前記有機酸と前記フェノール性化合物が異なるπ共役高分子組成物。
【請求項２】
少なくとも下記（ａ）〜（ｄ）を原料として用いるπ共役高分子組成物。
（ａ）溶剤
（ｂ）前記溶剤に溶解する、ドーパントによりドープされたπ共役高分子
（ｃ）リン酸基、ホスホン酸基、又はカルボキシ基である酸性基を１つ以上含む有機酸
（ｄ）フェノール性化合物
（前記有機酸と前記フェノール性化合物は異なる。）
【請求項３】
（ａ）溶剤、
（ｂ）前記溶剤に溶解した、ドーパントによりドープされたπ共役高分子、
（ｃ）スルホン酸基を１つ以上有する置換又は無置換のベンゼンスルホン酸であって、前記置換基は、アルキル基、アルコキシ基、ヒドロキシ基、ニトロ基、カルボキシル基、及びアシル基からなる群から選択される１以上である、ベンゼンスルホン酸、並びに
（ｄ）フェノール性化合物
を含むπ共役高分子組成物であって、
前記ベンゼンスルホン酸と前記フェノール性化合物が異なるπ共役高分子組成物。
【請求項４】
少なくとも下記（ａ）〜（ｄ）を原料として用いるπ共役高分子組成物。
（ａ）溶剤
（ｂ）前記溶剤に溶解する、ドーパントによりドープされたπ共役高分子
（ｃ）スルホン酸基を１つ以上有する置換又は無置換のベンゼンスルホン酸であって、前記置換基は、アルキル基、アルコキシ基、ヒドロキシ基、ニトロ基、カルボキシル基、及びアシル基からなる群から選択される１以上である、ベンゼンスルホン酸
（ｄ）フェノール性化合物
（前記ベンゼンスルホン酸と前記フェノール性化合物は異なる。）
【請求項５】
前記有機酸又は前記ベンゼンスルホン酸は前記ドーパントと異なる請求項１〜４のいずれかに記載のπ共役高分子組成物。
【請求項６】
前記有機酸又は前記ベンゼンスルホン酸の酸性度が５．０以下である請求項１〜５のいずれかに記載のπ共役高分子組成物。
【請求項７】
前記π共役高分子が窒素原子を含み、
前記ドーパントがスルホン酸であり、
式（１）を満たす請求項１〜４のいずれかに記載のπ共役高分子組成物。
０．２１≦Ｓ１／Ｎ１≦１．２…（１）
（式中、Ｓ１は組成物に含まれる硫黄原子のモル数であり、Ｎ１は組成物に含まれる窒素原子のモル数である。）
【請求項８】
前記π共役高分子が窒素原子を含み、
前記ドーパントがスルホン酸であり、
式（２）を満たす請求項１〜４及び７のいずれかに記載のπ共役高分子組成物。
０．０１≦Ｓ２／Ｎ２≦０．５…（２）
（式中、Ｓ２は組成物に含まれる全ての酸性物質の硫黄原子のモル数の合計であり、Ｎ２は組成物に含まれる全てのドーパントによりドープされたπ共役高分子の窒素原子のモル数の合計である。）
【請求項９】
前記π共役高分子が窒素原子を含み、前記ドーパントがスルホン酸であり、式（５）を満たす請求項１〜８のいずれかに記載のπ共役高分子組成物。
０．２≦Ｓ５／Ｎ５≦０．７…（５）
（Ｓ５は組成物に含まれる前記ドーパントによりドープされたπ共役高分子の硫黄原子のモル数の合計であり、Ｎ５は組成物に含まれる前記ドーパントによりドープされたπ共役高分子の窒素原子のモル数の合計である。）
【請求項１０】
パターニングされたインジウム錫酸化物電極を形成したガラス基板上に、窒素雰囲気下で前記ドーパントによりドープされたπ共役高分子５００ｍｇをトルエン１０ｇに溶解した溶液１ｍｌを、５００ｒｐｍで１５秒間スピンコート法により塗布し、窒素雰囲気下８０℃で５分間乾燥して成形体としたときの、４端子法により測定した該成形体の導電度が０．０１Ｓ／ｃｍ以上である、請求項１〜９のいずれかに記載のπ共役高分子組成物。
【請求項１１】
パターニングされたインジウム錫酸化物電極を形成したガラス基板上に、窒素雰囲気下で前記π共役高分子組成物１ｍｌを５００ｒｐｍで１５秒間スピンコート法により塗布し、窒素雰囲気下８０℃で５分間乾燥して成形体としたときの、４端子法により測定した導電度が０．０１Ｓ／ｃｍ以上である、請求項１〜１０のいずれかに記載のπ共役高分子組成物。
【請求項１２】
前記ドープされたπ共役高分子が、プロトネーションされた置換又は非置換ポリアニリンである請求項１〜１１のいずれかに記載のπ共役高分子組成物。
【請求項１３】
前記ドープされたπ共役高分子が、スルホン酸でプロトネーションされた置換又は非置換ポリアニリンである請求項１〜１２のいずれかに記載のπ共役高分子組成物。
【請求項１４】
前記スルホン酸が下記式（III）で示されるスルホコハク酸誘導体である請求項１３に記載のπ共役高分子組成物。
Ｍ（Ｏ３ＳＣＨ（ＣＨ２ＣＯＯＲ１２）ＣＯＯＲ１３）ｍ        （III）
（式（III）において、
Ｍは、水素原子、有機遊離基又は無機遊離基であり、
ｍはＭの価数であり、
Ｒ１２及びＲ１３は、それぞれ独立して炭化水素基又は−（Ｒ１４Ｏ）ｒ−Ｒ１５で表される基であり、Ｒ１４は炭化水素基又はシリレン基であり、Ｒ１５は水素原子、炭化水素基又はＲ１６３Ｓｉ−で表される基であり、Ｒ１６は炭化水素基であり、３つのＲ１６は同一又は異なっていてもよく、ｒは１以上の整数である。）
【請求項１５】
前記有機酸が、リン酸基、ホスホン酸基、又はカルボキシ基である酸性基を１つ以上含む、環状、鎖状又は分岐のアルキル酸である請求項１〜１４のいずれかに記載のπ共役高分子組成物。
【請求項１６】
前記有機酸が、リン酸基、ホスホン酸基、又はカルボキシ基である酸性基を１つ以上含む、置換又は無置換の芳香族酸である請求項１〜１４のいずれかに記載のπ共役高分子組成物。
【請求項１７】
前記芳香族酸が、ナフタレン骨格を有する酸である請求項１６に記載のπ共役高分子組成物。
【請求項１８】
前記フェノール性化合物が下記式（１）で表されるフェノール性化合物である請求項１〜１７のいずれかに記載のπ共役高分子組成物。
【化１】
2015199969.tif 000001
（式中、Ｒは炭素数１〜２０のアルキル基、アルケニル基、シクロアルキル基、アルキルチオ基、アリール基、アルキルアリール基又はアリールアルキル基である。）
【請求項１９】
前記フェノール性化合物が下記式（２）で表されるフェノール性化合物である請求項１〜１７のいずれかに記載のπ共役高分子組成物。
【化２】
2015199969.tif 000002
（式中、ｎは０〜６の整数である。
Ｒは、それぞれ炭素数２〜１０のアルキル基、アルケニル基、アルキルチオ基、炭素数３〜１０のシクロアルキル基、炭素数６〜２０のアリール基、アルキルアリール基又はアリールアルキル基である。）
【請求項２０】
前記フェノール性化合物が下記式（３）で表されるフェノール性化合物である請求項１〜１７のいずれかに記載のπ共役高分子組成物。
【化３】
2015199969.tif 000003
（式中、ｎは１〜５の整数である。
Ｒは、それぞれ炭素数２〜１０のアルキル基、アルケニル基、アルキルチオ基、炭素数３〜１０のシクロアルキル基、炭素数６〜２０のアリール基、アルキルアリール基又はアリールアルキル基である。）
【請求項２１】
π共役高分子組成物を含むコンデンサであって、
前記π共役高分子組成物が、
（ｂ）ドーパントによりドープされたπ共役高分子、
（ｃ）ナフタレン骨格を有するスルホン酸、及び
（ｄ）フェノール性化合物
を含み、
前記（ｂ）ドーパントによりドープされたπ共役高分子が、スルホコハク酸誘導体でプロトネーションされた置換又は非置換ポリアニリンである、前記コンデンサ。
【請求項２２】
前記スルホン酸又は前記有機酸は前記ドーパントと異なる請求項２１に記載のコンデンサ。
【請求項２３】
前記スルホン酸又は前記有機酸の酸性度が５．０以下である請求項２１又は２２に記載のコンデンサ。
【請求項２４】
前記π共役高分子が窒素原子を含み、
前記ドーパントがスルホン酸であり、
式（１）を満たす請求項２１〜２３のいずれかに記載のコンデンサ。
０．２１≦Ｓ１／Ｎ１≦１．２…（１）
（式中、Ｓ１は組成物に含まれる硫黄原子のモル数であり、Ｎ１は組成物に含まれる窒素原子のモル数である。）
【請求項２５】
前記π共役高分子が窒素原子を含み、
前記ドーパントがスルホン酸であり、
式（２）を満たす請求項２１〜２４のいずれかに記載のコンデンサ。
０．０１≦Ｓ２／Ｎ２≦０．５…（２）
（式中、Ｓ２は組成物に含まれる全ての酸性物質の硫黄原子のモル数の合計であり、Ｎ２は組成物に含まれる全てのドーパントによりドープされたπ共役高分子の窒素原子のモル数の合計である。）
【請求項２６】
前記π共役高分子が窒素原子を含み、前記ドーパントがスルホン酸であり、式（５）を満たす請求項２１〜２５のいずれかに記載のコンデンサ。
０．２≦Ｓ５／Ｎ５≦０．７…（５）
（Ｓ５は組成物に含まれる前記ドーパントによりドープされたπ共役高分子の硫黄原子のモル数の合計であり、Ｎ５は組成物に含まれる前記ドーパントによりドープされたπ共役高分子の窒素原子のモル数の合計である。）
【請求項２７】
前記ドープされたπ共役高分子が、プロトネーションされた置換又は非置換ポリアニリンである請求項２１〜２６のいずれかに記載のコンデンサ。
【請求項２８】
前記ドープされたπ共役高分子が、スルホン酸でプロトネーションされた置換又は非置換ポリアニリンである請求項２１〜２７のいずれかに記載のコンデンサ。
【請求項２９】
前記スルホン酸が下記式（III）で示されるスルホコハク酸誘導体である請求項２８に記載のコンデンサ。
Ｍ（Ｏ３ＳＣＨ（ＣＨ２ＣＯＯＲ１２）ＣＯＯＲ１３）ｍ        （III）
（式（III）において、
Ｍは、水素原子、有機遊離基又は無機遊離基であり、
ｍはＭの価数であり、
Ｒ１２及びＲ１３は、それぞれ独立して炭化水素基又は−（Ｒ１４Ｏ）ｒ−Ｒ１５で表される基であり、Ｒ１４は炭化水素基又はシリレン基であり、Ｒ１５は水素原子、炭化水素基又はＲ１６３Ｓｉ−で表される基であり、Ｒ１６は炭化水素基であり、３つのＲ１６は同一又は異なっていてもよく、ｒは１以上の整数である。）
【請求項３０】
前記有機酸が、リン酸基、ホスホン酸基、又はカルボキシ基である酸性基を１つ以上含む、環状、鎖状又は分岐のアルキル酸である請求項２１〜２９のいずれかに記載のコンデンサ。
【請求項３１】
前記有機酸が、リン酸基、ホスホン酸基、又はカルボキシ基である酸性基を１つ以上含む、置換又は無置換の芳香族酸である請求項２１〜２９のいずれかに記載のコンデンサ。
【請求項３２】
前記芳香族酸が、ナフタレン骨格を有する酸である請求項３１に記載のコンデンサ。
【請求項３３】
前記フェノール性化合物が下記式（１）で表されるフェノール性化合物である請求項２１〜３２のいずれかに記載のコンデンサ。
【化４】
2015199969.tif 000004
（式中、Ｒは炭素数１〜２０のアルキル基、アルケニル基、シクロアルキル基、アルキルチオ基、アリール基、アルキルアリール基又はアリールアルキル基である。）
【請求項３４】
前記フェノール性化合物が下記式（２）で表されるフェノール性化合物である請求項２１〜３２のいずれかに記載のコンデンサ。
【化５】
2015199969.tif 000005
（式中、ｎは０〜６の整数である。
Ｒは、それぞれ炭素数２〜１０のアルキル基、アルケニル基、アルキルチオ基、炭素数３〜１０のシクロアルキル基、炭素数６〜２０のアリール基、アルキルアリール基又はアリールアルキル基である。）
【請求項３５】
前記フェノール性化合物が下記式（３）で表されるフェノール性化合物である請求項２１〜３４のいずれかに記載のコンデンサ。
【化６】
2015199969.tif 000006
（式中、ｎは１〜５の整数である。
Ｒは、それぞれ炭素数２〜１０のアルキル基、アルケニル基、アルキルチオ基、炭素数３〜１０のシクロアルキル基、炭素数６〜２０のアリール基、アルキルアリール基又はアリールアルキル基である。）